(57)【要約】【課題】入出力に接続される回路の負荷変動に弱い。【解決手段】本発明は、入力端子に入力する搬送波信号を、送信すべき送信データに応じた送信デジタルデータ信号でＡＳＫ変調し、出力端子にＡＳＫ変調信号を出力するＡＳＫ変調器であって、前記入力端子と前記出力端子間の信号伝達ライン上に、入力信号を前記送信デジタルデータでＡＳＫ変調して出力するＡＳＫ変調回路を、少なくとも２つ以上有し、更に、前記信号伝達ライン上に、少なくとも１つ以上のソースフォロア回路を有するＡＳＫ変調器である。【選択図】図２
2010193258.tif 000002
【特許請求の範囲】
【請求項１】
入力端子に入力する搬送波信号を、送信すべき送信データに応じた送信デジタルデータ信号でＡＳＫ変調し、出力端子にＡＳＫ変調波信号を出力するＡＳＫ変調器であって、
前記入力端子と前記出力端子間において信号を伝達する伝達ライン上に、入力信号を前記送信デジタルデータでＡＳＫ変調して出力するＡＳＫ変調回路を、少なくとも２つ以上有し、
更に、前記伝達ライン上に、少なくとも１つ以上のソースフォロア回路を有する
ＡＳＫ変調器。
【請求項２】
前記ＡＳＫ変調回路の少なくとも１つは、前記送信デジタルデータが印加される第１のノードと第１の電源電圧端子との間に直列接続された、第１のトランジスタと第１の抵抗とを有し、
前記第１のトランジスタが、制御端子に前段の信号を入力し、
前記第１のトランジスタと前記第１の抵抗との接続ノードが当該ＡＳＫ変調回路の出力を構成する
請求項１に記載のＡＳＫ変調器。
【請求項３】
前記ＡＳＫ変調回路の少なくとも１つは、前記送信デジタルデータが印加される第１のノードと第１の電源電圧端子との間に直列接続された、第１のトランジスタと第１のインダクタを有し、
前記第１のトランジスタは、制御端子に前段の信号を入力し、
前記第１のトランジスタと前記第１のインダクタとの接続ノードが当該ＡＳＫ変調回路の出力を構成する
請求項１または請求項２に記載のＡＳＫ変調器。
【請求項４】
前記ソースフォロア回路の少なくとも１つは、第２の電源端子と前記第１の電源電圧端子との間に直列接続された、第２のトランジスタと第１の電流源を有し、
前記第２のトランジスタが、制御端子に前段の信号を入力し、
前記第２のトランジスタと前記第１の電流源との接続ノードが当該ソースフォロア回路の出力を構成する
請求項１〜請求項３のいずれか１項に記載のＡＳＫ変調器。
【請求項５】
前記ソースフォロア回路の少なくとも１つは、前記第１のノードと前記第１の電源電圧端子との間に直列接続された、第２のトランジスタと第１の電流源を有し、
前記第２のトランジスタが、制御端子に前段の信号を入力し、
前記第２のトランジスタと前記第１の電流源との接続ノードが当該ソースフォロア回路の出力を構成する
請求項１〜請求項３のいずれか１項に記載のＡＳＫ変調器。
【請求項６】
当該ＡＳＫ変調器が、ワンチップ集積回路として構成される
請求項１〜請求項５のいずれか１項に記載のＡＳＫ変調器。
【発明の詳細な説明】
【技術分野】
【０００１】
本発明は、ＡＳＫ変調器に関するものである。
【背景技術】
【０００２】
従来のＡＳＫ変調器として特許文献１の技術がある。図８に特許文献１のＡＳＫ変調器１の回路構成を示す。図８に示すように、ＡＳＫ変調器１は、デュアルゲートＦＥＴＤＧＴ１、ＤＧＴ２と、整合回路ＨＣ１〜ＨＣ３とを有する。
【０００３】
デュアルゲートＦＥＴＤＧＴ１は初段のＡＳＫ変調回路ＭＯＤＵ１、デュアルゲートＦＥＴＤＧＴ２は２段目のＡＳＫ変調回路ＭＯＤＵ２を構成している。デュアルゲートＦＥＴＤＧＴ１、ＤＧＴ２は、それぞれ第１ゲート（Ｇ１）にベースバンド信号、第２ゲート（Ｇ２）に前段回路からのキャリア信号を入力する。整合回路ＨＣ１〜ＨＣ３は、それぞれ前後段の回路のインピーダンスをマッチングさせる機能を有する。これにより、後段回路による信号反射を防ぐことができる。
【０００４】
ＡＳＫ変調器１は、２段分のＡＳＫ変調回路ＭＯＤＵ１、ＭＯＤＵ２を有することで、出力されるＡＳＫ変調波信号の変調度を上げることができる。なお、ここで言う変調度について図９を用いて説明する。まず、図９（ａ）はベースバンド信号、図９（ｂ）は、デジタル信号であるベースバンド信号によりキャリア信号をＡＳＫ変調したＡＳＫ変調信号である。
【０００５】
ＡＳＫ変調器１は、図９（ａ）（ｂ）に示すように、ベースバンド信号がハイレベルのとき（期間Ｔ１、Ｔ３、Ｔ５）、キャリア信号を増幅して出力する。逆に、ベースバンド信号がロウレベルのとき（期間Ｔ２、Ｔ４）、キャリア信号を出力しない。しかし、ここで期間Ｔ２、Ｔ４においても、トランジスタのゲート−ドレイン間の寄生容量等により、変調回路の後段へのキャリア信号の漏れが生じる場合がある。この漏れキャリア信号は、結果的に、出力端子ＴＯＵＴにも出力される。
【０００６】
ここで、期間Ｔ２、Ｔ４のようなキャリア信号の遮断期間での信号振幅をＢとする。また、期間Ｔ１、Ｔ３、Ｔ５のようなキャリア信号の増幅期間での信号振幅をＡとする。これら振幅ＡとＢによる比を、変調度ＭＩとする。そして、変調度ＭＩは、以下のような式（１）で表すことができる。
ＭＩ＝（Ａ−Ｂ）／（Ａ＋Ｂ）×１００［％］・・・（１）
【先行技術文献】
【特許文献】
【０００７】
【特許文献１】特開２００１−３２０４３０号公報
【発明の概要】
【発明が解決しようとする課題】
【０００８】
ここで、従来のＡＳＫ変調器１の出力端子ＴＯＵＴには、出力されたＡＳＫ変調信号を増幅するパワーアンプ等が接続される。そして、パワーアンプからの出力されたＡＳＫ変調信号をアンテナが送信する。ここで、出力端子ＴＯＵＴに接続するパワーアンプのゲインが変化すると、ＡＳＫ変調器１から見た出力負荷も変動する。この負荷変動は、増幅器でもあるＡＳＫ変調回路ＭＯＤＵ２の特性にも影響を及ぼす。更に、ＡＳＫ変調回路ＭＯＤＵ２と接続されているＡＳＫ変調回路ＭＯＤＵ１も影響を受け、結果、ＡＳＫ変調器１の特性が悪化する問題がある。この問題は、入力側に接続される回路の負荷変動に対しても同様である。よって、ＡＳＫ変調器１は、入出力側に接続される回路の負荷変動に対して弱い問題点をかかえている。
【０００９】
更に、ＲＦＩＤ等の通信規格では、上述した変調度が所定の値（例えば９０〜１００％等）となるように規格されている。よって、変調度を高めつつ、且つ、入出力側回路の負荷変動にも強いＡＳＫ変調器が求められている。
【課題を解決するための手段】
【００１０】
本発明は、入力端子に入力する搬送波信号を、送信すべき送信データに応じた送信デジタルデータ信号でＡＳＫ変調し、出力端子にＡＳＫ変調信号を出力するＡＳＫ変調器であって、前記入力端子と前記出力端子間の信号伝達ライン上に、入力信号を前記送信デジタルデータでＡＳＫ変調して出力するＡＳＫ変調回路を、少なくとも２つ以上有し、更に、前記信号伝達ライン上に、少なくとも１つ以上のソースフォロア回路を有するＡＳＫ変調器である。
【００１１】
本発明にかかるＡＳＫ変調器は、信号伝達ライン上に、少なくとも１つ以上のソースフォロア回路を有する。この信号伝達ライン上のソースフォロア回路は、バッファ回路として機能し、入出力側に接続される回路の負荷変動の影響を吸収することができる。
【発明の効果】
【００１２】
本発明にかかるＡＳＫ変調器は、入出力側に接続される回路の負荷変動に強く、且つ、変調度を高めることが可能となる。
【図面の簡単な説明】
【００１３】
【図１】実施の形態１にかかる送信システムの構成である。
【図２】実施の形態１にかかるＡＳＫ変調器の構成である。
【図３】実施の形態１にかかるＡＳＫ変調器の構成である。
【図４】実施の形態１にかかるＡＳＫ変調器の構成である。
【図５】実施の形態２にかかるＡＳＫ変調器の構成である。
【図６】実施の形態３にかかるＡＳＫ変調器の構成である。
【図７】その他の実施の形態にかかるＡＳＫ変調器の構成である。
【図８】従来のＡＳＫ変調器の構成である。
【図９】変調度について説明するための模式図である。
【発明を実施するための形態】
【００１４】
発明の実施の形態１
【００１５】
以下、本発明を適用した具体的な実施の形態１について、図面を参照しながら詳細に説明する。まず、図１に本実施の形態１にかかるＡＳＫ変調器１００を含んだ、送信システム１０のブロック図の一例を示す。
【００１６】
送信システム１０は、送信回路１１と、パワーアンプ１２と、アンテナ１３とを有する。送信回路１１は、ＡＳＫ変調された送信信号をパワーアンプ１２に出力する。また、送信回路１１は、ＩＣ化されており、パワーアンプ１２と端子Ｔ１４とで接続されている。パワーアンプ１２は、送信回路１１から送られてきたＡＳＫ変調波信号を増幅してアンテナ１３に出力する。アンテナ１３は、パワーアンプ１２からのＡＳＫ変調波信号を送信する。
【００１７】
送信回路１１は、ＡＳＫ変調器１００と、デジタル信号処理部１１０と、内部発振器１２０とを有する。なお、送信回路１１は、ＩＣでワンチップ化されているものとする。デジタル信号処理部１１０は、符号化部１１１を有する。符号化部１１１は、送信すべき送信データを符号化し、デジタルのベースバンド信号としてＡＳＫ変調器１００に出力する。符号化部１１１が行う符号化方式として、マンチェスター符号方式、ＮＲＺ（Non Return to Zero)方式等がある。
【００１８】
内部発振器１２０は、ＰＬＬ（Phase Locked Loop）１２１と、ＶＣＯ（Voltage Controlled Oscillator）１２２とを有する。内部発振器１２０は、所定の周波数の搬送波（キャリア）信号を生成し、ＡＳＫ変調器１００に出力する。
【００１９】
本実施の形態１の特徴部分であるＡＳＫ変調器１００は、上述したキャリア信号をベースバンド信号でＡＳＫ変調する。そして、そのＡＳＫ変調波信号を端子ＴＯＵＴからパワーアンプ１２へ出力する。ＡＳＫ変調器１００の構成を図２に示す。図２に示すように、ＡＳＫ変調器１００は、ＡＳＫ変調回路ＭＯＤＵ１０１、ＭＯＤＵ１０２と、ソースフォロア回路ＳＦＵ１０１とを有する。
【００２０】
ＡＳＫ変調回路ＭＯＤＵ１０１は、抵抗Ｒ１０１と、ＮＭＯＳトランジスタＱＮ１０１とを有する。抵抗Ｒ１０１は、一方の端子がノードＡ１、他方の端子がノードＡ２に接続される。ＮＭＯＳトランジスタＱＮ１０１は、ドレインがノードＡ２、ソースが接地電圧端子ＧＮＤ、ゲートが入力端子ＴＩＮに接続される。入力端子ＴＩＮは、内部発振器１２０からのキャリア信号を入力する。また、ノードＡ２は、ＡＳＫ変調回路ＭＯＤＵ１０１の出力を構成する。更に、ノードＡ１には、デジタル信号処理部１１０からのベースバンド信号が印加されている。
【００２１】
ソースフォロア回路ＳＦＵ１０１は、ＮＭＯＳトランジスタＱＮ１０２と、定電流源ＣＣ１０１とを有する。ＮＭＯＳトランジスタＱＮ１０２は、ドレインが電源電圧端子ＶＤＤ、ソースがノードＡ３、ゲートがノードＡ２に接続される。定電流源ＣＣ１０１は、ノードＡ３と接地電圧端子ＧＮＤとの間に接続される。ノードＡ２はソースフォロア回路ＳＦＵ１０１の入力、ノードＡ３はソースフォロア回路ＳＦＵ１０１の出力を構成する。
【００２２】
ＡＳＫ変調回路ＭＯＤＵ１０２は、抵抗Ｒ１０２と、ＮＭＯＳトランジスタＱＮ１０３とを有する。抵抗Ｒ１０２は、一方の端子がノードＡ１、他方の端子がノードＡ４に接続される。ＮＭＯＳトランジスタＱＮ１０３は、ドレインがノードＡ４、ソースが接地電圧端子ＧＮＤ、ゲートがノードＡ３に接続される。ノードＡ３は、ＡＳＫ変調回路ＭＯＤＵ１０２の入力を構成する。また、ノードＡ４は、ＡＳＫ変調回路ＭＯＤＵ１０２の出力を構成し、端子ＴＯＵＴと接続される。
【００２３】
以上のような構成により、入力端子ＴＩＮと出力端子ＴＯＵＴ（ノードＡ４）間において、キャリア信号をベースバンド信号でＡＳＫ変調したＡＳＫ変調波信号を伝達する伝達ラインが構成されている。
【００２４】
なお、ノードＡ１に印加されているベースバンド信号は、上述したように符号化部１１１から出力されたデジタル信号である。符号化部１１１がＡＳＫ変調器１００に送信する際に、アンプにより電流増幅される。このことにより、ノードＡ１に印加されるベースバンド信号により、ＡＳＫ変調回路ＭＯＤＵ１０１、ＭＯＤＵ１０２を駆動することが可能である。
【００２５】
以上のようなＡＳＫ変調器１００の動作について説明する。まず、ＡＳＫ変調回路ＭＯＤＵ１０１において、ＮＭＯＳトランジスタＱＮ１０１のゲートに内部発振器１２０からのキャリア信号が入力される。ノードＡ１に印加されているベースバンド信号がハイレベルのとき、ＮＭＯＳトランジスタＱＮ１０１の駆動電流が供給される。このため、ベースバンド信号がハイレベルのとき、ノードＡ２に増幅されたキャリア信号が出力される。逆に、ベースバンド信号がロウレベルのとき、ノードＡ２にキャリア信号が出力されない。よって、ベースバンド信号に応じて、変調されたキャリア信号がノードＡ２に出力されることになる。ノードＡ２は、ＡＳＫ変調回路ＭＯＤＵ１０１の出力を構成することから、キャリア信号をベースバンド信号で変調したＡＳＫ変調波信号が、ＡＳＫ変調回路ＭＯＤＵ１０１からソースフォロア回路ＳＦＵ１０１に出力される。
【００２６】
次に、ソースフォロア回路ＳＦＵ１０１のＮＭＯＳトランジスタＱＮ１０２は、ゲートにＡＳＫ変調回路ＭＯＤＵ１０１からのＡＳＫ変調波信号を入力する。ＮＭＯＳトランジスタＱＮ１０２と定電流源ＣＣ１０１は、ソースフォロア回路を構成している。よって、ノードＡ３には、ＡＳＫ変調回路ＭＯＤＵ１０１からのＡＳＫ変調波信号がそのまま出力される。ここで、一般的に知られるように、ソースフォロア回路は、前後段の回路のインピーダンスを遮断するバッファ機能を有する。
【００２７】
次に、ＡＳＫ変調回路ＭＯＤＵ１０２において、ＮＭＯＳトランジスタＱＮ１０３のゲートに、ソースフォロア回路ＳＦＵ１０１からの出力信号が入力される。ＡＳＫ変調回路ＭＯＤＵ１０２は、ＡＳＫ変調回路ＭＯＤＵ１０１と同様の構成となっており、動作も同様である。つまり、ノードＡ１に印加されているベースバンド信号がハイレベルのとき、ＮＭＯＳトランジスタＱＮ１０３の駆動電流が供給される。このため、ベースバンド信号がハイレベルのとき、ノードＡ４に増幅されたキャリア信号が出力される。逆に、ベースバンド信号がロウレベルのとき、ノードＡ４にキャリア信号が出力されない。ノードＡ４は、出力端子ＴＯＵＴを構成しているため、ＡＳＫ変調回路ＭＯＤＵ１０２で再度ＡＳＫ変調された、ＡＳＫ変調波信号が、ＡＳＫ変調回路ＭＯＤＵ１０２から出力される。
【００２８】
ここで、従来のＡＳＫ変調器１は、２段分のＡＳＫ変調回路ＭＯＤＵ１、ＭＯＤＵ２を有し、出力信号であるＡＳＫ変調波信号の変調度を高めている。しかし、ＡＳＫ変調器１のＡＳＫ変調回路ＭＯＤＵ１、ＭＯＤＵ２は、増幅器としても動作しており、前段、後段の負荷変動に弱い欠点を有している。このため、例えば、ＡＳＫ変調器１の出力端子ＴＯＵＴにパワーアンプが接続された場合、そのパワーアンプのゲインの変動による出力負荷変動に、ＡＳＫ変調回路ＭＯＤＵ２が影響を受ける。更に、ＡＳＫ変調回路ＭＯＤＵ２と接続されているＡＳＫ変調回路ＭＯＤＵ１も影響を受け、ＡＳＫ変調器１の特性が悪化する問題がある。
【００２９】
しかし、本実施の形態１のＡＳＫ変調器１００は、入力端子ＴＩＮと出力端子ＴＯＵＴ間のＡＳＫ変調波信号を伝達する伝達ライン上にソースフォロア回路ＳＵＦ１０１を配置している。図１の例では、ＡＳＫ変調回路ＭＯＤＵ１０１、ＭＯＤＵ１０２の間にソースフォロア回路ＳＵＦ１０１が配置されている。このため、出力端子ＴＯＵＴに接続されるパワーアンプ１２の負荷変動によりＡＳＫ変調回路ＭＯＤＵ２が影響を受けたとしても、ＡＳＫ変調回路ＭＯＤＵ１にその影響は伝達されない。
【００３０】
逆に、入力端子ＴＩＮに接続される内部発振器１２０の負荷変動によりＡＳＫ変調回路ＭＯＤＵ１が影響を受けたとしても、ＡＳＫ変調回路ＭＯＤＵ２にその影響は伝達されない。このため、ＡＳＫ変調器１００は、入出力端子ＴＩＮ、ＴＯＵＴに接続される回路のどちらに負荷変動が発生しても、その影響を最小限に押さえることができ、安定した出力特性を得ることができる。
【００３１】
また、ソースフォロア回路は、動作がオフ状態のとき、高いアイソレーション特性を有する。このため、ＡＳＫ変調器１００は、ソースフォロア回路ＳＦＵ１０１の入力信号がなくなるベースバンド信号がロウレベル時に、ＡＳＫ変調回路ＭＯＤＵ１０１、ＭＯＤＵ１０２の間のアイソレーションを高めることができる。よって、結果的に、出力信号であるＡＳＫ変調波信号の変調度ＭＩを、ソースフォロア回路ＳＦＵ１０１がない場合に比べより高めることができる。更に、ＡＳＫ変調器１００は、ＩＣ化されているため、各構成要素間の配線ピッチが短い。このため、ＡＳＫ変調器１のような整合回路ＨＣ１〜ＨＣ３を必要とせず、回路規模を減少させることができる。
【００３２】
なお、図１では、ＡＳＫ変調回路ＭＯＤＵ１０１、ＭＯＤＵ１０２の間にソースフォロア回路ＳＦＵ１０１を接続している。しかし、ソースフォロア回路ＳＦＵ１０１の配置場所は、入力端子ＴＩＮと出力端子ＴＯＵＴ間のＡＳＫ変調波信号を伝達する伝達ライン上であれば特定の箇所に固定されなくてよい。例えば、出力端子ＴＯＵＴに接続されるパワーアンプ１２の負荷変動が問題となるならば、図３に示すＡＳＫ変調器１０１のように、出力端子ＴＯＵＴの直前に配置してもよい。また、図４に示すＡＳＫ変調器１０２のように、入力端子ＴＩＮの直後に配置してもよい。
【００３３】
また、ＡＳＫ変調回路ＭＯＤＵ１０１、ＭＯＤＵ１０２と同様のＡＳＫ変調回路を更に複数接続してもよい。また、ソースフォロア回路ＳＦＵ１０１と同様のソースフォロア回路を更に複数接続してもよい。
【００３４】
発明の実施の形態２
【００３５】
以下、本発明を適用した具体的な実施の形態２について、図面を参照しながら詳細に説明する。本実施の形態２のＡＳＫ変調器２００は、図１の送信システム１０においてＡＳＫ変調器１００と置き換えることが可能である。図５に本実施の形態２にかかるＡＳＫ変調器２００の構成を示す。図５に示すように、ＡＳＫ変調器２００は、ＡＳＫ変調回路ＭＯＤＵ１０１、ＭＯＤＵ１０２と、ソースフォロア回路ＳＦＵ２０１とを有する。なお、図５に示された符号のうち、図２と同じ符号を付した構成は、図２と同じか又は類似の構成を示している。実施の形態１のＡＳＫ変調器１００との相違点は、ソースフォロア回路ＳＦＵ２０１の構成である。よって、本実施の形態２では、その相違点のみを重点的に説明する。その他の構成は、実施の形態１と同様なため、説明は省略する。
【００３６】
ソースフォロア回路ＳＦＵ２０１は、ＮＭＯＳトランジスタＱＮ１０２と、定電流源ＣＣ１０１とを有する。ＮＭＯＳトランジスタＱＮ１０２は、ドレインがノードＡ１、ソースがノードＡ３、ゲートがノードＡ２に接続される。定電流源ＣＣ１０１は、ノードＡ３と接地電圧端子ＧＮＤとの間に接続される。
【００３７】
このように、実施の形態１のソースフォロア回路ＳＦＵ１０１とは異なり、ソースフォロア回路ＳＦＵ２０１のＮＭＯＳトランジスタＱＮ１０２のドレインは、電源電圧端子ＶＤＤではなく、ノードＡ１に接続されている。このため、ＮＭＯＳトランジスタＱＮ１０２は、ベースバンド信号により駆動される。よって、ベースバンド信号がロウレベルの場合、ＮＭＯＳトランジスタＱＮ１０２を駆動する駆動電流がなくなるため、ソースフォロア回路ＳＦＵ２０１のオフ時のアイソレーションを高めることができる。このことにより、ソースフォロア回路ＳＦＵ２０１の後段回路（ＡＳＫ変調回路ＭＯＤＵ１０２）に対してキャリア信号の漏れをより減少させることができる。よって、式（１）のＢの値を、実施の形態１よりも下げることができ、結果的に変調度ＭＩの値を増加させることができる。
【００３８】
なお、実施の形態１と同様、ソースフォロア回路ＳＦＵ２０１の配置場所も、入力端子ＴＩＮと出力端子ＴＯＵＴ間のＡＳＫ変調波信号を伝達する伝達ライン上であれば特定の箇所に固定されなくてよい。また、ソースフォロア回路ＳＦＵ２０１の接続数も複数であってよい。更に、ソースフォロア回路ＳＦＵ１０１とＳＦＵ２０１を混在して使用してもよい。
【００３９】
発明の実施の形態３
【００４０】
以下、本発明を適用した具体的な実施の形態３について、図面を参照しながら詳細に説明する。本実施の形態３のＡＳＫ変調器３００は、図１の送信システム１０においてＡＳＫ変調器１００と置き換えることが可能である。図６に本実施の形態３にかかるＡＳＫ変調器３００の構成を示す。図６に示すように、ＡＳＫ変調器３００は、ＡＳＫ変調回路ＭＯＤＵ１０１、ＭＯＤＵ３０２と、ソースフォロア回路ＳＦＵ１０１とを有する。なお、図６に示された符号のうち、図２と同じ符号を付した構成は、図２と同じか又は類似の構成を示している。実施の形態１のＡＳＫ変調器１００との相違点は、ＡＳＫ変調回路ＭＯＤＵ３の構成である。よって、本実施の形態３では、その相違点のみを重点的に説明する。その他の構成は、実施の形態１と同様なため、説明は省略する。
【００４１】
ＡＳＫ変調回路ＭＯＤＵ３０２は、ＮＭＯＳトランジスタＱＮ１０３と、インダクタＬ３０１とを有する。ＮＭＯＳトランジスタＱＮ１０３は、ドレインがノードＡ４、ソースが接地電圧端子ＧＮＤ、ゲートがノードＡ３に接続される。インダクタＬ３０１は、一方の端子がノードＡ１、他方の端子がノードＡ４に接続される。
【００４２】
ＡＳＫ変調回路ＭＯＤＵ３０２は、実施の形態１のＡＳＫ変調回路ＭＯＤＵ１０２の抵抗Ｒ１０２がインダクタＬ３０１に置き換わった構成となっている。このことにより、実施の形態１のＡＳＫ変調回路ＭＯＤＵ１０１と比較して、抵抗Ｒ１０２分の抵抗損失が減少する利点を有する。特に、キャリア信号の周波数が高くなるほど、この利点が大きくなる。このため、式（１）のＡの値を、実施の形態１よりも上げることができ、結果的に変調度ＭＩの値を増加させることができる。なお、ＡＳＫ変調回路ＭＯＤＵ３０２の配置場所も、入力端子ＴＩＮと出力端子ＴＯＵＴ間のＡＳＫ変調波信号を伝達する伝達ライン上であれば特定の箇所に固定されなくてよい。また、ＡＳＫ変調回路ＭＯＤＵ３０２の接続数も複数であってよい。
【００４３】
なお、本発明は上記実施の形態に限られたものでなく、趣旨を逸脱しない範囲で適宜変更することが可能である。例えば、図７に示すように、ＭＯＳトランジスタの導電型を逆にした、ＡＳＫ変調器４００のような構成としてもよい。
【００４４】
図７のＡＳＫ変調器４００は、実施の形態１のＡＳＫ変調回路ＭＯＤＵ１０１、１０２、ソースフォロア回路ＳＦＵ１０１に相当する、ＡＳＫ変調回路ＭＯＤＵ４０１、４０２、ソースフォロア回路ＳＦＵ４０１を有する。ＡＳＫ変調回路ＭＯＤＵ４０１は、ＰＭＯＳトランジスタＱＰ１０１と抵抗Ｒ１０１とを有する。ＡＳＫ変調回路ＭＯＤＵ４０２は、ＰＭＯＳトランジスタＱＰ１０３と抵抗Ｒ１０２とを有する。ＰＭＯＳトランジスタＱＰ１０１と抵抗Ｒ１０１、及び、ＰＭＯＳトランジスタＱＰ１０３と抵抗Ｒ１０２は、それぞれ電源電圧端子ＶＤＤとノードＡ１間に直列接続されている。ＰＭＯＳトランジスタＱＰ１０１のゲートが入力端子ＴＩＮに接続されている。
【００４５】
ソースフォロア回路ＳＦＵ１０１は、定電流源ＣＣ１０１とＰＭＯＳトランジスタＱＰ１０２とを有する。定電流源ＣＣ１０１とＰＭＯＳトランジスタＱＰ１０２は、電源電圧端子ＶＤＤと接地電圧端子ＧＮＤ間に直列接続されている。ＰＭＯＳトランジスタＱＰ１０１のゲートが入力端子ＴＩＮに接続されている。ＰＭＯＳトランジスタＱＰ１０２のゲートが、ＰＭＯＳトランジスタＱＰ１０１と抵抗Ｒ１０１の接続ノード（ノードＡ２）に接続される。ＰＭＯＳトランジスタＱＰ１０３のゲートが、定電流源ＣＣ１０１とＰＭＯＳトランジスタＱＰ１０２の接続ノード（ノードＡ３）に接続される。出力端子ＴＯＵＴが、ＰＭＯＳトランジスタＱＰ１０３と抵抗Ｒ１０２の接続ノード（ノードＡ４）に接続される。ノードＡ１には、内部発振器１２０からのベースバンド信号が印加される。このため、ベースバンド信号がロウレベルのときにＡＳＫ変調回路ＭＯＤＵ１０１、１０２が動作する。なお、基本的な動作は、実施の形態１と同様なため、説明は省略する。
【００４６】
このように、ＭＯＳトランジスタの導電型を逆にしたＡＳＫ変調器４００でも、実施の形態１のＡＳＫ変調器１００と同様の効果を得ることができる。また、本例と同様に、実施の形態２、３のＭＯＳトランジスタの導電型を逆にしたＡＳＫ変調器を構成してもよい。
【図１】
2010193258.tif 000003
【図２】
2010193258.tif 000004
【図３】
2010193258.tif 000005
【図４】
2010193258.tif 000006
【図５】
2010193258.tif 000007
【図６】
2010193258.tif 000008
【図７】
2010193258.tif 000009
【図８】
2010193258.tif 000010
【図９】
2010193258.tif 000011